(57)【要約】      （修正有）【課題】洗浄と同時に柔軟性を付与でき、且つ粘土鉱物が衣類に残留しにくい柔軟洗剤組成物を提供する。【解決手段】（ａ）下記一般式（Ｉ）で表されるスメクタイト型粘土鉱物を主成分とする粘土造粒物（但し、造粒物中Ｎａ／Ｃａの質量比率が１．０未満）  １〜２０質量％［Ｓｉ８（Ｍｇａ  Ａｌｂ）Ｏ２０（ＯＨ）４］Ｘ−・Ｘ／ｎ［Ｍｅ］ｎ＋  （Ｉ）（式中、０＜ａ≦６、０≦ｂ≦４、０．２≦ｘ＝１２−２ａ−３ｂ≦１．２であり、ＭｅはＮａ、Ｋ、Ｌｉ、Ｃａ 、Ｍｇ およびＮＨ４  の少なくとも１種を、ｎはＭｅの価数を表す）、（ｂ）非イオン性界面活性剤１．０〜１８質量％、（ｃ）陰イオン性界面活性剤（但し、脂肪酸塩を除く）６〜２７質量％、（ｄ）アルカリ剤10〜35質量％（但し、珪酸塩の含有量は柔軟洗剤組成物中6質量％以下である。）、及び（ｅ）結晶性アルミノ珪酸塩３〜３５質量％、を含有する柔軟洗剤組成物。【選択図】なし【特許請求の範囲】
【請求項１】
（ａ）下記一般式（Ｉ）で表されるスメクタイト型粘土鉱物を主成分とする粘土造粒物（但し、造粒物中Ｎａ／Ｃａの質量比率が１．０未満）  １〜２０質量％
［Ｓｉ８（Ｍｇａ  Ａｌｂ）Ｏ２０（ＯＨ）４］Ｘ−・Ｘ／ｎ［Ｍｅ］ｎ＋  （Ｉ）
（式中、０＜ａ≦６、０≦ｂ≦４、０．２≦ｘ＝１２−２ａ−３ｂ≦１．２であり、ＭｅはＮａ、Ｋ、Ｌｉ、Ｃａ 、Ｍｇ およびＮＨ４  の少なくとも１種を、ｎはＭｅの価数を表す）、
（ｂ）非イオン性界面活性剤１．０〜１８質量％、
（ｃ）陰イオン性界面活性剤（但し、脂肪酸塩を除く）６〜２７質量％、
（ｄ）アルカリ剤１０〜３５質量％（但し、珪酸塩の含有量は柔軟洗剤組成物中６質量％以下である。）、及び
（ｅ）結晶性アルミノ珪酸塩３〜３５質量％、
を含有する柔軟洗剤組成物であって、さらに以下の（ｉ）〜（ｉｉ）の条件：
（ｉ）粘土造粒物中のＮａが１．０質量％以上である、
（ｉｉ）柔軟洗剤組成物中にＮａ2Ｏ又はＫ2Ｏとして換算した場合に２３質量％以上に相当する水溶性Ｎａ塩及び／又はＫ塩を含有する（水溶性Ｎａ塩及びＫ塩を含有する場合は、合計量で２３質量％以上）、
の少なくともいずれかを満たすことを特徴とする柔軟洗剤組成物。
【発明の詳細な説明】
【技術分野】
【０００１】
本発明は、柔軟化基剤として粘土鉱物を用いた柔軟洗剤組成物に関する。
【背景技術】
【０００２】
従来から、洗浄後の繊維製品が、繊維処理剤の脱落や塩類の付着等によって、柔らかさを失い、ごわごわした感触になるのを防止するために、洗剤に柔軟化剤を配合することが検討されている。例えば、繊維表面に沈着して繊維製品の風合いに柔軟性を付与する柔軟化剤として、従来、スメクタイト等の粘土鉱物（例えば特許文献１参照。）、ジアルキル型第４級アンモニウム塩等の陽イオン性界面活性剤（例えば非特許文献１参照。）、ポリジメチルシロキサン等のシリコーン（例えば特許文献２参照。）等の配合が知られている。また、近年、配合の容易性、環境対応等の点から、粘土鉱物による柔軟効果の増強方法が検討されている。例えば、ベントナイトとペンタエリトリトール化合物との併用（例えば特許文献３参照。）、粘土鉱物と凝集剤との併用（例えば特許文献４参照。）、ベントナイトと可溶性カリウム塩との併用（例えば特許文献５、非特許文献１参照。）等が知られている。また、いわゆるＣａ型ベントナイトは、Ｎａ型ベントナイトに比べて柔軟性能が高いことが知られている。
【０００３】
一方、環境・エネルギー問題や経済性への対応に基づいた、洗濯水の低温化、運転時間の短縮化等の近年の洗濯機の傾向は、いずれもスメクタイト等の粘土造粒物の分散速度の遅延の要因となり、そのことに起因する、粘土鉱物の未分散粒子が衣類に残留する心配が増大している。
【０００４】
また、近年、洗浄力、特に油汚れに対する洗浄力の強化の一環として、主界面活性剤として非イオン性界面活性剤が配合されるようになってきている。しかしながら、本発明者らが鋭意検討した結果、Ｃａ型ベントナイト造粒物を配合した洗剤に非イオン性界面活性剤が存在すると、粘土造粒物の分散性が顕著に低下する傾向があり、近年の洗濯機の傾向と同様に、非イオン性界面活性剤の配合とＣａ型ベントナイトの組合せが粘土造粒物の衣類への残留の原因になるという課題を見出すに至った。
【０００５】
【特許文献１】特開昭４９−８５１０２号公報
【特許文献２】特開２００２−２４９７９９号公報
【特許文献３】特開平５−１４０８６９号公報
【特許文献４】特表２００２−５４１３４２号公報
【特許文献５】特表平８−５０６８４３号公報
【非特許文献１】周知・慣用技術集（衣料用粉末洗剤）、平成10(1998).3.26 発行
【発明の開示】
【発明が解決しようとする課題】
【０００６】
本発明の課題は柔軟洗剤組成物を用いることにより、柔軟性を有した繊維製品等の洗浄を行うと同時に、且つ粘土鉱物が衣類に残留しにくい柔軟洗剤組成物を提供することにある。
【課題を解決するための手段】
【０００７】
即ち、本発明の要旨は、
（ａ）下記一般式（Ｉ）で表されるスメクタイト型粘土鉱物を主成分とする粘土造粒物（但し、造粒物中Ｎａ／Ｃａの質量比率が１．０未満）  １〜２０質量％
［Ｓｉ８（Ｍｇａ  Ａｌｂ）Ｏ２０（ＯＨ）４］Ｘ−・Ｘ／ｎ［Ｍｅ］ｎ＋  （Ｉ）
（式中、０＜ａ≦６、０≦ｂ≦４、０．２≦ｘ＝１２−２ａ−３ｂ≦１．２であり、ＭｅはＮａ、Ｋ、Ｌｉ、Ｃａ 、Ｍｇ およびＮＨ４  の少なくとも１種を、ｎはＭｅの価数を表す）、
（ｂ）非イオン性界面活性剤１．０〜１８質量％、
（ｃ）陰イオン性界面活性剤（但し、脂肪酸塩を除く）６〜２７質量％、
（ｄ）アルカリ剤１０〜３５質量％（但し、珪酸塩の含有量は柔軟洗剤組成物中６質量％以下である。）、及び
（ｅ）結晶性アルミノ珪酸塩３〜３５質量％、
を含有する柔軟洗剤組成物であって、さらに以下の（ｉ）〜（ｉｉ）の条件：
（ｉ）粘土造粒物中のＮａが１．０質量％以上である、
（ｉｉ）柔軟洗剤組成物中にＮａ2Ｏ又はＫ2Ｏとして換算した場合に２３質量％以上に相当する水溶性Ｎａ塩及び／又はＫ塩を含有する（水溶性Ｎａ塩及びＫ塩を含有する場合は、合計量で２３質量％以上）、
の少なくともいずれかを満たすことを特徴とする柔軟洗剤組成物、
に関する。
【発明の効果】
【０００８】
本発明の柔軟洗剤組成物を用いることにより、柔軟性を有した繊維製品等の洗浄を行うことができ、且つ粘土鉱物が衣類に残留しにくいという効果が奏される。
【発明を実施するための最良の形態】
【０００９】
・  柔軟洗剤組成物
以下、本発明の柔軟洗剤組成物についてさらに詳しく説明する。
＜（ａ）成分＞
本発明の柔軟洗剤組成物の（ａ）成分は、下記一般式（Ｉ）で表されるスメクタイト型粘土鉱物を主成分（本願において主成分とは造粒物中５０質量％以上含むものを言う）とする粘土造粒物（但し、造粒物中Ｎａ／Ｃａの質量比が１．０未満）である。
［Ｓｉ８（Ｍｇａ  Ａｌｂ）Ｏ２０（ＯＨ）４］Ｘ−・Ｘ／ｎ［Ｍｅ］ｎ＋  （Ｉ）
（式中、０＜ａ≦６、０≦ｂ≦４、０．２≦ｘ＝１２−２ａ−３ｂ≦１．２であり、好ましくは０＜ａ＜６、０＜ｂ＜４、０．２≦ｘ＝１２−２ａ−３ｂ≦１．２であり、ＭｅはＮａ、Ｋ、Ｌｉ、Ｃａ 、Ｍｇ およびＮＨ４  の少なくとも１種を、ｎはＭｅの価数を表す）
【００１０】
柔軟性能、洗浄性能の点で、柔軟洗剤組成物中の（ａ）成分の含有量は、１〜２０質量％であり、２〜２０質量％が好ましく、４〜１８質量％がより好ましく、６〜１６質量％がさらに好ましく、８〜１５質量％がより更に好ましく、１０〜１４質量％が特に好ましい。
【００１１】
粘土鉱物は、特に天然の場合、クォーツ、クリストバライト、カルサイト、長石、タルク、ドロマイトなどの不純物を含有するため、（ａ）成分の含有量とは、これらの不純物も含んだものである。また、造粒時に供した水やバインダーや添加剤等の成分も（ａ）成分の含有量に含まれる。従って、（ａ）成分である粘土造粒物において一般式（Ｉ）のスメクタイト型粘土鉱物を主成分とするとは、前記スメクタイト型粘土鉱物を造粒物中、５０質量％以上、好ましくは６０〜９０質量％含むことをいう。
【００１２】
尚、本発明の別の態様として、（I）で表される粘土鉱物に通常の不純物として存在するクォーツ、クリストバライト、カルサイト、長石、タルク、ドロマイト及び水と（I）式で表される粘土鉱物との合計量が粘土造粒物中、好ましくは９０質量％以上、より好ましくは９２質量％以上であることが挙げられる。
【００１３】
本発明の柔軟洗剤組成物は、粘土造粒物の分散性、衣類残留性を向上させる観点から、ＮａやＫの存在量を高めることに特徴がある。すなわち、（ｉ）粘土造粒物中に存在させる量としてはＮａが１．０質量％以上であることが好ましく、一方、（ｉｉ）柔軟洗剤組成物中に存在させる量としては２３質量％（Ｎａ2Ｏ又はＫ2Ｏとして換算した場合）以上に相当する水溶性Ｎａ塩及び／又はＫ塩を含有させることが好ましい（水溶性Ｎａ塩及びＫ塩を含有する場合は、合計量で２３質量％以上）。本発明においては、前記（ｉ）と（ｉｉ）の少なくともいずれかの条件を満たすものであり、好ましくは、両方を満たすものである。
【００１４】
粘土造粒物中のＮａが１．０質量％以上であるとは、下記の方法により測定したＮａが１．０質量％以上の粘土造粒物のことをいい、Ｎａ源としては鉱石中に予め存在しているものや、粘土造粒物の製造工程にて添加できるＮａ塩等が挙げられる。粘土造粒物中のＮａは、分散性の観点から１．５質量％以上が好ましく、２．０質量％以上がより好ましく、３．０質量％以上が更に好ましい。柔軟性の観点から出発原料である粘土鉱物のＣａ量以下が好ましい。上限は特に制限は無いが、造粒適性の低下の観点から６．０質量％以下が好ましく、５．０質量％以下がより好ましい。
【００１５】
また、柔軟性向上の観点から、Ｃａ型ベントナイト造粒物が好ましい。
【００１６】
Ｃａ型ベントナイト造粒物とは、本発明の他の態様においては、粘土造粒物中のＣａイオンとＮａイオンの質量比率（Ｎａ／Ｃａ）が１．０以上の粘土造粒物のことをさす。
【００１７】
かかる一般式（I）で表されるスメクタイト型粘土鉱物を主成分とする粘土造粒物の例としては、ズード・ケミ社製の「ラウンドロジルＰＲ４１４」、「ラウンドロジルＤＧ」、「ラウンドロジルＤＧＡ２１２」、ラヴィオッサ社製の「デタソフトＧＩＳ」、「デタソフトＧＩＢ」、「デタソフトＧＩＳＷ」、ＣＳＭ社の「クエストソフト」、「ピュアベントナイト」、「スタンダードベントナイト」等が挙げられる。なお、かぎ括弧内の用語は、商品名を示す。これらの（ａ）成分は、天然品でも、合成品でもよい。
【００１８】
本発明で用いられる粘土鉱物を含有する粘土造粒物のＮａ／Ｃａの質量比率が１．０未満であり、且つＮａ量の多い粘土造粒物を得る方法として、天然品であれば、産地を適宜選択すればよいし、または、例えば粘土造粒物を製造する際に、Ｃａ量の多い粘土鉱物を出発原料として用い、Ｎａ塩等を添加して調製してもよい。また、合成品であれば公知の方法にて任意に調製が可能である。
【００１９】
粘土造粒物中のＮａ／Ｃａの質量比率、及びＮａ質量％は、次の方法で測定する。
粘土造粒物を乳鉢で粉砕し、目開き１２５μｍの篩を通過した試料０．１ｇをマイクロウェーブ湿式灰化装置（自動）で硫酸−過酸化水素分解したのち、メスフラスコにて５０ｍＬにメスアップして、ＩＣＰ発光分析装置で測定してＮａとＣａ量を定量して計算する。
【００２０】
粘土造粒物の嵩密度は、非分級性の観点から、好ましくは５００〜１２００ｇ／Ｌ、より好ましくは６００〜１１００ｇ／Ｌ、特に好ましくは７００〜１０５０ｇ／Ｌである。ここで嵩密度は、ＪＩＳ  Ｋ  ３３６２により規定された方法を用いて測定する。該粘土造粒物の平均粒径は、低発塵性、非分級性の観点から、好ましくは２００〜１０００μｍ、より好ましくは３００〜９００μｍ、特に好ましくは４００〜８００μｍである。ここで平均粒径は、ＪＩＳ  Ｚ  ８８０１の標準篩を用いて５分間振動させた後、篩目のサイズによる重量分率から求めることができる。
【００２１】
加えて、発塵性、外観の観点から１８０〜１４１０μｍの粒径を有する粘土造粒物が粘土造粒物全体の９０質量％以上を占めることが好ましく、９５質量％以上を占めることがより好ましい。
【００２２】
粘土造粒物の水分値としては、粘土造粒物の粒子強度の観点から粘土造粒物中１８質量％以下が好ましく、１６質量％以下がより好ましく、１４質量％以下が更に好ましい。
【００２３】
粘土造粒物の水分散液のｐＨは２０℃、２質量％の測定条件にて、ガラス電極法を用いて測定する。品質管理の観点から９．０以上が好ましく、９．５以上がより好ましく、１０．０以上が更に好ましい。
【００２４】
＜（ｂ）成分＞
（ｂ）成分の非イオン性界面活性剤は、本願柔軟洗剤組成物中に１．０〜１８質量％含有する。柔軟性能、洗浄性能、衣類残留性の点で、その含有量は、柔軟洗剤組成物中２〜１８質量％が好ましく、２〜１５質量％がより好ましく、２．５〜１５質量％がさらに好ましく、３〜１２質量％がさらにより好ましく、３．５〜９質量％が更により好ましく、４〜９質量％が更により好ましく、４〜８質量％が特に好ましい。
【００２５】
（ｂ）成分の具体的な化合物としては、ポリオキシアルキレンアルキル（炭素数８〜２０）エーテル、アルキルポリグリコシド、ポリオキシアルキレンアルキル（炭素数８〜２０）フェニルエーテル、ポリオキシアルキレンソルビタン脂肪酸（炭素数８〜２２）エステル、ポリオキシアルキレングリコール脂肪酸（炭素数８〜２２）エステル、ポリオキシエチレンポリオキシプロピレンブロックポリマーなどを挙げることができる。特に、炭素数１０〜１８のアルコールにエチレンオキシドやプロピレンオキシド等のアルキレンオキシドが付加しているポリオキシアルキレンアルキルエーテルが好ましい。アルキレンオキシドの平均付加モル数は柔軟性向上の点から４〜２０が好ましく、４〜１６がより好ましく、４〜１２が更に好ましく、４〜８が特に好ましい。非イオン性界面活性剤は、ＨＬＢ値（グリフィン法で算出）が１０. ５〜１５. ０のものが好ましく、更に１１. ０〜１４. ５のものが好ましい。
【００２６】
＜（ｃ）成分＞
（ｃ）成分の陰イオン性界面活性剤（但し、脂肪酸塩を除く）は本願柔軟洗剤組成物中６〜２７質量％含有する。柔軟性能、洗浄性能の点で、その含有量は、柔軟洗剤組成物中１０〜２６質量％が好ましく、１２〜２５質量％がより好ましく、１６〜２５質量％が更に好ましく、２０〜２５質量％が特に好ましい。
【００２７】
（ｃ）成分の具体的な化合物としては、炭素数１０〜１８のアルコールの硫酸エステル塩、炭素数８〜２０のアルコールのアルコキシル化物の硫酸エステル塩、アルキルベンゼンスルホン酸塩、パラフィンスルホン酸塩、α−オレフィンスルホン酸塩、α−スルホ脂肪酸塩、α−スルホ脂肪酸アルキルエステル塩などを挙げることができる。本発明では特に、アルキル鎖の炭素数が１０〜１４の、より好ましくは１２〜１４の直鎖アルキルベンゼンスルホン酸塩やアルキル鎖の炭素数が１０〜１８のアルキル硫酸塩を含有することが好ましい。対イオンとしては、アルカリ金属塩やアミン類が好ましく、特にナトリウム及び／又はカリウム、モノエタノールアミン、ジエタノールアミンが好ましい。また、アルキル硫酸塩との混合系がより好ましく、アルキルベンゼンスルホン酸塩／アルキル硫酸塩の質量比が３０／１〜１／１が更に好ましく、５／１〜６／５が特に好ましい。さらに、柔軟性の観点より、アルキル硫酸塩のアルキル基の分岐鎖／直鎖の比率が好ましくは１０／９０〜９９／１、より好ましくは２０／８０〜９７／３、さらに好ましくは３０／７０〜９５／５、特に好ましくは４０／６０〜９０／１０である。
【００２８】
＜（ｄ）成分＞
本発明の柔軟洗剤組成物はさらにアルカリ剤を１０〜３５質量％含有する。アルカリ剤成分としては、（ｄ１）炭酸塩、（ｄ２）結晶性珪酸塩、（ｄ３）非晶質珪酸塩等を挙げることができる。洗浄性の観点から（ｄ１）炭酸塩は１２〜３０質量％が好ましく、１５〜２５質量％がより好ましい。（ｄ２）成分及び（ｄ３）成分の合計量である珪酸塩（結晶性珪酸塩と非晶質珪酸塩）の含有量は、柔軟性の観点から、柔軟洗剤組成物中６質量％以下、好ましくは４質量％以下、更に好ましくは２質量％以下である。同様に下限としての珪酸塩含有量は防錆性の観点から、好ましくは０．１質量％以上、より好ましくは０．３質量％以上、さらに好ましくは０．５質量％以上である。
【００２９】
＜（ｅ）成分＞
本発明の柔軟洗剤組成物は（ｅ）成分としてゼオライト等の結晶性アルミノ珪酸塩を３〜３５質量％配合する。（ｅ）成分としては、種々のゼオライト、好ましくは平均粒径が１〜５μｍであるゼオライトを挙げることができ、洗浄性及び粘土造粒物の分散性の観点から（ｅ）成分は柔軟洗剤組成物中６〜３０質量％が好ましく、８〜２７質量％がより好ましい。
【００３０】
また、本発明の柔軟洗剤組成物は、さらに柔軟性の点で、脂肪酸塩を０．３〜３質量％含有することが好ましく、０．４〜２質量％がより好ましく、０．５〜１．５質量％が更に好ましい。
【００３１】
脂肪酸塩としては、例えば、炭素数１０〜２２の脂肪酸等が挙げられる。炭素数は１０〜１８が好ましい。対イオンとしてはナトリウムやカリウム等のアルカリ金属の塩が好ましく、特にナトリウム塩が好ましい。
【００３２】
＜水分＞
また、柔軟洗剤組成物は、安定性、生産性の点で、水（ＪＩＳ  Ｋ  ３３６２：１９９８記載の過熱減量法による水分）を０. １〜１０質量％含有することが好ましく、０. ２〜６質量％がより好ましく、０. ５〜４質量％が更に好ましい。
【００３３】
＜その他成分＞
本発明の柔軟洗剤組成物は、衣料用洗剤の分野で公知のビルダー（非晶質アルミノ珪酸塩、トリポリリン酸ナトリウム、ピロリン酸ナトリウム、有機系ビルダーとしては、アミノカルボン酸塩、ヒドロキシアミノカルボン酸塩、ヒドロキシカルボン酸塩、シクロカルボン酸塩、エーテルカルボン酸塩及び有機カルボン酸（塩）ポリマー等）、再汚染防止剤（ポリアクリル酸塩、カルボキシメチルセルロース等）、その他の柔軟化剤、蛍光染料、抑泡剤（石鹸、シリコーン等）、酵素（プロテアーゼ、セルラーゼ、アミラーゼ、リパーゼ等）、酵素安定化剤、着色剤、香料、漂白剤、漂白活性化剤等を含有させることができる。
【００３４】
以下、本発明の柔軟洗剤組成物における水溶性Na塩及びK塩について説明する。
【００３５】
Ｎａ塩としては、炭酸ナトリウム、塩化ナトリウム、硫酸ナトリウム、重炭酸ナトリウム、亜硫酸ナトリウム、結晶質及び非晶質の珪酸ナトリウム、炭酸塩・過酸化水素付加物、硼酸塩・過酸化水素付加物等の水溶性無機塩類、クエン酸ナトリウム、フマル酸ナトリウム等の水溶性有機酸塩類、ポリアクリル酸ナトリウム、アクリル酸−マレイン酸コポリマーのナトリウム塩、カルボキシメチルセルロース等の水溶性ポリマー、及び、公知の界面活性剤のナトリウム塩等が挙げられる。
【００３６】
また、Ｋ塩としては、炭酸カリウム、硫酸カリウム等の水溶性無機塩類、クエン酸カリウム、フマル酸カリウム等の水溶性有機酸塩類、ポリアクリル酸カリウム、アクリル酸−マレイン酸コポリマーのカリウム塩及び、公知の界面活性剤のカリウム塩等が挙げられる
【００３７】
上記Ｎａ塩及びＫ塩の中でも、Ｎａ及びＫの含有量が大きい点から、炭酸ナトリウム、炭酸カリウム、塩化ナトリウム、硫酸ナトリウムが好ましく、洗浄性能の点から、ポリアクリル酸ナトリウム、アクリル酸−マレイン酸コポリマーのナトリウム塩が特に好ましい。また、トリポリリン酸塩は柔軟性発現の観点から有用なビルダーであるが、環境への配慮の観点から実質的に配合しないのが好ましい。また、本発明の柔軟洗剤組成物は、Ｎａ２ＯまたはＫ２Ｏとして換算した場合に２３質量％以上に相当する水溶性Ｎａ塩及び／又はＫ塩を含有する（水溶性Ｎａ塩及びＫ塩を含有する場合は、合計量で２３質量％以上）。分散性向上の観点から、柔軟洗剤組成物中、好ましくは２４質量％以上、より好ましくは２５質量％以上、さらに好ましくは２６質量％以上である。
【００３８】
以上のような組成を有する本発明の柔軟洗剤組成物は、前記各成分を公知の方法で混合することによって製造することができ、流動性および耐ケーキング性の点で、表面改質剤を用いて表面改質されてもよい。
【００３９】
２．柔軟洗剤組成物の物性
本発明の柔軟洗剤組成物は、安定性の点で、粉末や錠剤形態であることが好ましく、粉末形態がより好ましい。低温溶解性、安定性の点で、ＪＩＳ  Ｋ  ３３６２：１９９８記載のふるい分け機械によるふるい分け方法によって測定される粒度から求められる平均粒径は好ましくは２００〜１０００μｍ、より好ましくは２５０〜９００μｍ、更に好ましくは３００〜８００μｍである。低温溶解性、安定性の点で、ＪＩＳ  Ｋ  ３３６２：１９９８記載方法によって測定される見かけ密度は３００〜１２００ｇ／Ｌが好ましく、４００〜１１００ｇ／Ｌがより好ましく、６００〜１０００ｇ／Ｌが更に好ましく、７００〜９８０ｇ／Ｌが特に好ましい。
【００４０】
洗浄性能、柔軟性能、損傷性の点で、柔軟洗剤組成物のＪＩＳ  Ｋ３３６２：１９９８記載の２０℃で測定する０．１質量％の水溶液のｐＨは８〜１２が好ましく、９〜１１．５がより好ましく、９．５〜１１が更に好ましく、１０〜１１が特に好ましい。
【００４１】
洗浄性能、柔軟性能の点で、柔軟洗剤組成物の下記測定方法によるカルシウム捕捉量は、２０〜３００ＣａＣＯ３  ｍｇ／ｇが好ましく、５０〜２００ＣａＣＯ３  ｍｇ／ｇがより好ましく、１００〜１５０ＣａＣＯ３  ｍｇ／ｇが更に好ましい。
【００４２】
（カルシウム捕捉量の測定方法）
カルシウム捕捉量（Ｃａ捕捉量）は、特開平３−２７７６９６号公報３頁右下欄６行目から４頁左上欄６行目記載の方法（但し、陰イオン性界面活性剤を柔軟洗剤組成物と読み替える）により求める。
【実施例】
【００４３】
実施例１〜１３、比較例１〜２
粘土造粒物、漂白剤、漂白活性化剤、酵素、香料、および表面改質用ゼオライト６質量％を除いた成分で、洗剤ベースを得た。これに、残りの成分を混合して柔軟洗剤組成物を得た。柔軟洗剤組成物の組成を表１に示す。
【００４４】
得られた柔軟洗剤組成物は、全て、ＪＩＳ  Ｋ３３６２：１９９８記載の２０℃で測定する０．１質量％の水溶液のｐＨは１０〜１１の範囲、カルシウム捕捉量は５０ＣａＣＯ３  ｍｇ／ｇ〜２００ＣａＣＯ３  ｍｇ／ｇの範囲、平均粒径は３００〜８００μｍの範囲、見かけ密度は７００〜９８０ｇ／Ｌの範囲であった。
【００４５】
【表１】
2007197667.tif 000002
【００４６】
なお、得られた柔軟洗剤組成物の洗浄力及び柔軟性及び衣類残留性を以下の方法に従って評価した。これらの結果を表１に示す。
【００４７】
（襟あか布の調製）
ＪＩＳ  Ｋ３３６２：１９９８記載の襟あか布を調製した。
【００４８】
（洗浄条件及び評価方法）
ＪＩＳ  Ｋ  ３３６２：１９９８記載の衣料用合成洗剤の洗浄力評価方法に準じ、表１の柔軟洗剤組成物と洗浄力判定用指標洗剤の洗浄力を比較した。表１の柔軟洗剤組成物の使用濃度を１. ０ｇ／Ｌとした。
評価基準  ○：指標洗剤より勝る
△：指標洗剤と同等
×：指標洗剤より劣る
【００４９】
（評価用タオルの調製）
市販の綿タオル（綿１００％）をミニ洗濯機（Ｎａｔｉｏｎａｌ製「Ｎ−ＢＫ２」）に供し、また、その際の前処理剤には非イオン性界面活性剤（炭素数１２の１級アルコールにエチレンオキサイドを平均６モル付加させたもの）、結晶性シリケート（プリフィード顆粒品）、炭酸ナトリウムを１：１：３（重量比）で混合したものを０．５ｇ／Ｌで使用した。水温２０℃で７分洗浄後、遠心脱水、３分ためすすぎ、脱水、３分ためすすぎ、脱水を合計５回繰り返し、処理剤を除去したものを使用した。
【００５０】
（柔軟評価方法）
２０℃の水５Ｌに表１の柔軟洗剤組成物５．０ｇ、綿タオル０．３ｋｇ（７０ｃｍ×３０ｃｍで４枚）を投入し、７分間洗った。脱水後、水５Ｌで３分ためすすぎ、脱水、３分ためすすぎ、脱水して風乾した。柔軟洗剤組成物で洗ったタオルと前処理タオルとを一対として５人の判定者が手触りの柔らかさを官能評価した。差がない場合及び硬くなる場合を０点、わずかに柔らかくなる場合を１点、少し柔らかくなる場合を２点、明らかに柔らかくなる場合を３点とし、５人の合計点を以下のように示した。
評価基準                                
◎：合計１０点以上
○：合計６点以上１０点未満
△：合計３点以上６点未満
×：合計３点未満
【００５１】
（衣類残留性の評価方法）
５℃の水５Ｌに表１の柔軟洗剤組成物５．０ｇ、黒色綿ブロード４０薄地（（株）谷頭商店製）０．３ｋｇ（３０ｃｍ×３８ｃｍに加工したもので１９枚）を投入し、７分間洗った。脱水後、水５Ｌで３分ためすすぎ、脱水、３分ためすすぎ、脱水して風乾した。柔軟洗剤組成物で洗った黒色綿ブロード布１枚あたりの表裏の残留物の数や大きさから以下の評価基準にて衣類残留性の評価を行った。
評価基準    
◎：残留物が（ほとんど）認められない
○：大きめ（０．５ｍｍ以上）の粒子の残留物はなく、微粉（０．５ｍｍ未満）の残留物が数個〜１０個認められる
△：大きめ（０．５ｍｍ以上）の粒子の残留物はなく、微粉（０．５ｍｍ未満）の残留物が十数個認められる
×：大きめ（０．５ｍｍ以上）の粒子の残留物があり、微粉（０．５ｍｍ未満）の残留物も認められる
××：大きめ（０．５ｍｍ以上）の粒子の残留物が数個以上あり、微粉（０．５ｍｍ未満）の残留物も多数認められる
【００５２】
表１の結果より、比較例１〜２と比べて、実施例の１〜13において（a）,（b）,（c），（d）及び（e）成分等を所定濃度・比率で配合することにより、衣類残留性、柔軟性、洗浄性に優れた柔軟洗剤組成物が得られたことがわかる。
【００５３】
なお、実施例中、各成分としては、以下のものを用いた。
・ゼオライト：「ゼオビルダー」（ゼオビルダー社製、メジアン径：３．０μｍ）
・  陰イオン性界面活性剤：
ＬＡＳ−Ｎａ：アルキル基の炭素数１２〜１４の直鎖アルキルベンゼンスルホン酸ナトリウム
ＡＳ-Ｎａ：アルキル基の炭素数１２〜１６のアルキル硫酸エステルナトリウム
・  非イオン性界面活性剤：炭素数１０〜１４の１級アルコールにＥＯを平均６モル付加させたもの
・  石鹸：アルキル基の炭素数１４〜１８の脂肪酸ナトリウム
・  ＰＥＧ：ポリエチレングリコール（重量平均分子量８５００）
・  炭酸ナトリウム：デンス灰（セントラル硝子（株）製）
・  硫酸ナトリウム：中性無水芒硝（四国化成（株）製）
・  食塩：ナクルN（ナイカイ塩業（株）製）
・  重炭酸ナトリウム：重炭酸ナトリウム（東ソー（株）製）
・  トリポリリン酸Ｎａ：トリポリ燐酸ソーダ（下関三井化学（株）製）
・  結晶性シリケート：プリフィード顆粒品（株式会社トクヤマシルテック製）
・  亜硫酸ナトリウム：亜硫酸ソーダ（三井化学株式会社）
・  ２号シリケート：２号珪酸ソーダ（富士化学（株）製）
・  ＡＡポリマー：ポリアクリル酸（平均分子量 １．５万；ＧＰＣによる測定、ポリエチレングリコール換算、花王（株）製）
・  ＡＡ／ＭＡポリマー：アクリル酸−マレイン酸コポリマー（ナトリウム塩（７０モル％中和）であり、モノマー比はアクリル酸／マレイン酸＝３／７（モル比）、平均分子量７００００）
・  酵素：「セルラーゼＫ」（特開昭６３−２６４６９９号公報記載）、「カンナーゼ２４ＴＫ」（ノボ社製）、「サビナーゼ６．０Ｔ」（ノボ社製）を３：１：２ の質量比で使用
・  蛍光染料：「チノパールＣＢＳ−Ｘ」（チバガイギー社製）
・  漂白剤：炭酸ナトリウム・過酸化水素付加物（過炭酸ナトリウム）：特開２０００−２５６６９９号公報の段落００１９に記載の漂白剤
・  漂白活性化剤：ラウロイルオキシベンゼンスルホン酸ナトリウム造粒物（特開２０００−２５６６９９号公報の段落００１８記載の漂白活性化剤
【００５４】
なお、実施例中の粘土造粒物（Ｉ）〜（ＶＩ）としては、以下のものを用いた。
【００５５】
粘土造粒物（Ｉ）の製造方法は以下の通りである。
容量２ＬのヘンシェルミキサーにＮａ／Ｃａ質量比率が０．０２、水分２５質量％のベントナイトの粘土鉱石１００質量部と炭酸ナトリウム１．０質量部を投入して回転数１６００ｒｐｍにて３分間混合する。得られた混合物を押し出し造粒器（スクリーン径：２mmφ）にて造粒した。次に、この造粒物を８０℃の乾燥機にて水分１２質量％まで乾燥させたものを乳鉢にて１２５μｍの篩を通過するまで粉砕する。この粉砕物１００質量部をヘンシェルミキサーに投入し回転数１６００ｒｐｍにて混合中に水を２５質量部添加し３０秒間混合する。この混合物を８０℃の乾燥機にて水分１２質量％まで乾燥させたものをオーバーサイズ（１４１０μｍ以上）とアンダーサイズ（１８０μｍ以下）をカットして粘土造粒物（Ｉ）を得る。この粘土造粒物のNa/Ca質量比率は０．０９、Na量は０．６１質量％であった。
【００５６】
粘土造粒物（ＩＩ）の製造方法は、炭酸ナトリウムの投入量を２．０質量部とした他は、粘土造粒物（Ｉ）の製造方法に準ずる。この粘土造粒物の水分は１２質量％であり、Na/Ca質量比率は０．１７、Na量は１．１質量％であった。
【００５７】
粘土造粒物（ＩＩＩ）の製造方法は、炭酸ナトリウムの投入量を４．２質量部とした他は、粘土造粒物（Ｉ）の製造方法に準ずる。この粘土造粒物の水分は１２質量％であり、Na/Ca質量比率は０．３３、Na量は２．１質量％であった。
【００５８】
粘土造粒物（ＩＶ）の製造方法は、炭酸ナトリウムの投入量を１０．０質量部とした他は、粘土造粒物（Ｉ）の製造方法に準ずる。この粘土造粒物の水分は１２質量％であり、Na/Ca質量比率は０．７７、Na量は４．６質量％であった。
【００５９】
粘土造粒物（V）の製造方法は、Ｎａ／Ｃａ質量比率が０．３３、水分２５質量％のベントナイトの粘土鉱石を出発原料とし、炭酸ナトリウムの投入量を０．５質量部とした他は、粘土造粒物（I）の製造方法に準ずる。この粘土造粒物の水分は１２質量％であり、Na/Ca質量比率は０．４８、Na量は０．８２質量％であった。
【００６０】
粘土造粒物（VI）の製造方法は、炭酸ナトリウムの投入量を１．２質量部とした他は、粘土造粒物（V）の製造方法に準ずる。この粘土造粒物の水分は１２質量％であり、Na/Ca質量比率は０．６８、Na量は１．２質量％であった。
【産業上の利用可能性】
【００６１】
本発明の柔軟洗剤組成物は、例えば、綿製のタオル、バスタオルやＴシャツ、トレーナーに代表される衣類等の繊維製品の柔軟洗剤として好適に使用することができる。